(57)【要約】  【課題】収納する物品が棚から落下することを有効に防止するとともに、物品の姿勢を変えて収納する場合にも好適に対応可能であり、ひいては収納空間全体としての有効活用が図れるといった、高機能な袖構造体を提供する。  【解決手段】使用端側に配置され且つ物品Ｆを収納可能な第１収納空間Ｓ２１及びこの第１収納空間Ｓ２１に連続するように反使用端側に配置され且つ物品Ｆを収納可能な第２収納空間Ｓ２２を有する筐体２１と、前記第１収納空間Ｓ２１を上下の空間に分割すべく前記筐体２１に着脱可能に取り付け得る棚２３とを備える袖構造体であって、前記筐体２１が、前記棚２３の取付位置を前記第１収納空間Ｓ２１内で前後に選択できるように、前記棚２３を取り付けるための複数の取付部２１６を具備し、前記棚２３が、物品Ｆの第２収納空間Ｓ２２側への落下を防止する落下防止部２３２を具備するようにした。【選択図】図９
2005287834.tif 000002
【特許請求の範囲】
【請求項１】
使用端側に配置され且つ物品を収納可能な第１収納空間及びこの第１収納空間に連続するように反使用端側に配置され且つ物品を収納可能な第２収納空間を有する筐体と、
前記第１収納空間を上下の空間に分割すべく前記筐体に着脱可能に取り付け得る棚とを備える袖構造体であって、
前記筐体が、前記棚の取付位置を前記第１収納空間内で前後に選択できるように、前記棚を取り付けるための複数の取付部を具備し、
前記棚が、前記第２収納空間側への落下を防止する落下防止部を具備していることを特徴とする袖構造体。
【請求項２】
前記棚が、前記物品を載置する載置面を表面に設けた棚本体と、この載置面の反使用端側で前記物品に当接するようにした当接面を表面に備えた落下防止部とを具備することを特徴とする請求項１記載の袖構造体。
【請求項３】
前記棚本体と前記落下防止部とを一体に形成してなるものであることを特徴とする請求項２記載の袖構造体。
【請求項４】
前記落下防止部が、前記棚本体の反使用端縁から略直角に起立させてなるものであることを特徴とする請求項３記載の袖構造体。
【請求項５】
前記取付部が、奥行き方向に長手寸法を有するスリット状のものであって、
前記棚に設けた前記取付部に着脱可能に取り付けられる被取付部が、前記取付部に引掛け可能な舌片状のものであることを特徴とする請求項１乃至４いずれか記載の袖構造体。
【請求項６】
前記筐体が、スチール製のものであって、
前記取付部が、スチール素材の塑性変形加工により形成したものであることを特徴とする請求項１乃至５いずれか記載の袖構造体。
【請求項７】
前記棚の奥行き寸法が、所定規格のファイルを載置した際に、そのファイルを支持するに充分な寸法を有するものであることを特徴とする請求項１乃至６いずれか記載の袖構造体。
【請求項８】
前記棚の奥行き寸法を、前記所定規格のファイルの表紙幅方向と略同じ幅寸法を有するように構成したものであって、
前記所定規格のファイルを、その表紙高さ方向を上下に向けた状態で収納する場合には、前記棚を前記筐体の使用端側に取り付けて使用し、前記所定規格のファイルを、その表紙幅方向を上下に向けた状態で収納する場合には、前記棚を前記筐体の反使用端側に取り付けて使用するようにしていることを特徴とする請求項７記載の袖構造体。
【請求項９】
前記複数の取付部が、筐体を構成する両側板に少なくとも４つ列をなすように配されるものであるとともに、
使用端側から数えて第１列目と第３列目の取付部または第２列目と第４列目の取付部を利用して前記棚を取り付け得るようにしたものであって、
前記第１列目および前記第２列目の取付部間の距離が、前記所定規格のファイルの表紙高さ方向の寸法と幅方向の寸法との差と略等しくなるように構成していることを特徴とする請求項８記載の袖構造体。
【請求項１０】
請求項１乃至９いずれか記載の袖構造体を、袖部に配してなることを特徴とするデスク。
【発明の詳細な説明】
【技術分野】
【０００１】
本発明は、袖構造体およびその袖構造体を袖部に配したデスクに関するものである。
【背景技術】
【０００２】
従来から、異なる大きさの物品の収納に効果的に対応すべく、棚の取付位置を変更し得るようにしたキャビネットが知られている。この種のキャビネットには、高さ方向および前後方向の取付位置を選択的に取り得るようにするための複数の挿入部（だぼ穴）が、キャビネットの側板に複数列を成すように設けられており、これらの複数の挿入部のうち所定数の挿入部に対して挿入した棚受け具のピンに、棚を取り付けることにより、利用者は好みの位置に棚を取り付けて、当該キャビネットを好適に使用し得るように構成されている（例えば特許文献１参照。）。
【特許文献１】特開２０００−１３５１２７号公報（第３頁、第１図、第２図）
【発明の開示】
【発明が解決しようとする課題】
【０００３】
ところが、従来の構成では、棚は平板状のものであり、例えば、この棚をキャビネットの使用端側に取り付けて使用する場合には、棚に載せた物品が、棚の反使用端側から落下してしまうといった課題を有している。
【０００４】
また、Ａ４サイズのファイル等のように縦横寸法の異なる物品を、その表紙高さ方向を上下に向けた状態で棚に載置して収納する態様と、その表紙幅方向を上下に向けた状態で載置して収納する態様とのように、姿勢を変えて収納する場合において、棚の取付位置によっては、好適に使用できないといった課題を有している。
【０００５】
本発明は、このような課題に着目してなされたものであって、主たる目的は、収納する物品が棚から落下することを有効に防止するとともに、物品の姿勢を変えて収納する場合にも好適に対応可能であり、ひいては収納空間全体としての有効活用が図れるといった、高機能な袖構造体を提供することにある。
【課題を解決するための手段】
【０００６】
すなわち、本発明の袖構造体は、使用端側に配置され且つ物品を収納可能な第１収納空間及びこの第１収納空間に連続するように反使用端側に配置され且つ物品を収納可能な第２収納空間を有する筐体と、前記第１収納空間を上下の空間に分割すべく前記筐体に着脱可能に取り付け得る棚とを備える袖構造体であって、前記筐体が、前記棚の取付位置を前記第１収納空間内で前後に選択できるように、前記棚を取り付けるための複数の取付部を具備し、前記棚が、前記第２収納空間側への落下を防止する落下防止部を具備していることを特徴とする。
【０００７】
このようなものであれば、棚が落下防止部を備えているので、棚に載置した物品が反使用端側に落下することを効果的に防止することができる。したがって、第２収納空間に物品を収納している場合にも、棚に載置した物品と第２収納空間に収納している物品とが干渉することを効果的に防止することができ、ひいては、収納空間全体としての有効活用を図ることができる。また、例えば、Ａ４サイズのファイル等のように縦横寸法の異なる物品を、その表紙高さ方向を上下に向けた状態で棚に載置して収納する態様と、その表紙幅方向を上下に向けた状態で載置して収納する態様とのいずれの収納態様を選択しても、その収納態様に応じて、筐体に対する棚の取り付け位置を前後方向に適宜選択できるため、棚に載置した物品の使用端側を、好適に揃えることができ且つ見栄えも良く、また、物品を安定して出し入れし易いため使い勝手も良い。すなわち、収納する物品が棚から落下することを有効に防止するとともに、物品の姿勢を変えて収納する場合にも好適に対応可能であり、ひいては収納空間全体としての有効活用が図れるといった、高機能な袖構造体を提供することができる。
【０００８】
なお、非常に簡単な構成でありながらも、効果的に物品の落下を防止するためには、前記棚が、前記物品を載置する載置面を表面に設けた棚本体と、この載置面の反使用端側で前記物品に当接するようにした当接面を表面に備えた落下防止部とを具備していることが望ましい。
【０００９】
また、部材を削減してコストダウンを図るためには、前記棚本体と前記落下防止部とを一体に形成してなるものであることが好ましい。
【００１０】
簡単な構成で、物品の落下を効果的に防止するためには、前記落下防止部が、前記棚本体の反使用端縁から略直角に起立させてなることが望ましい。
【００１１】
前記取付部が、奥行き方向に長手寸法を有するスリット状のものであって、前記棚に設けた前記取付部に着脱可能に取り付けられる被取付部が、前記取付部に引掛け可能な舌片状のものであれば、棚の筐体への取り付けや取外しを容易に行うことができる。
【００１２】
前記筐体が、スチール製のものであって、前記取付部が、スチール素材の塑性変形加工により形成したものであれば、部材の取付強度を有効に確保しつつ、当該袖構造体を簡単に形成できる。
【００１３】
前記棚の奥行き寸法が、所定規格のファイルを載置した際に、そのファイルを支持するに充分な寸法を有するものであれば、近時のオフィスでは、書類用紙として所定サイズ（典型的には、Ａ４）の紙を使用することが一般的であり、そのサイズに合わせて規格化されたファイルを取り扱うことが多く、これに好適に対応することができる。
【００１４】
ここで、「ファイル」とは、パイプ式ファイルやボックス式ファイル等、各種態様のものを含む概念である。
【００１５】
前記棚の奥行き寸法を、前記所定規格のファイルの表紙幅方向と略同じ幅寸法を有するように構成したものであって、前記所定規格のファイルを、その表紙高さ方向を上下に向けた状態で収納する場合には、前記棚を前記筐体の使用端側に取り付けて使用し、前記所定規格のファイルを、その表紙幅方向を上下に向けた状態で収納する場合には、前記棚を前記筐体の反使用端側に取り付けて使用するようにしたものであれば、好みに応じて収納態様を選べ使い勝手が良い。
【００１６】
前記複数の取付部が、筐体を構成する両側板に少なくとも４つ列をなすように配されるものであるとともに、使用端側から数えて第１列目と第３列目の取付部または第２列目と第４列目の取付部を利用して前記棚を取り付け得るようにしたものであって、前記第１列目および前記第２列目の取付部間の距離が、前記所定規格のファイルの表紙高さ方向の寸法と幅方向の寸法との差と略等しくなるように構成したものであれば、物品の収容態様によらず、物品の一部を筐体の開口に揃えることができる。
【００１７】
上述するような袖構造体を袖部に配したデスクであれば、好適にこれを使用することができる。
【発明の効果】
【００１８】
以上説明したように本発明の袖構造体によれば、棚が落下防止部を備えているので、棚に載置した物品が反使用端側に落下することを効果的に防止することができる。したがって、第２収納空間に物品を収納している場合にも、棚に載置した物品と第２収納空間に収納している物品とが干渉することを効果的に防止することができ、ひいては、収納空間全体としての有効活用を図ることができる。また、例えば、Ａ４サイズのファイル等のように縦横寸法の異なる物品を、その表紙高さ方向を上下に向けた状態で棚に載置して収納する態様と、その表紙幅方向を上下に向けた状態で載置して収納する態様とのいずれの収納態様を選択しても、その収納態様に応じて、筐体に対する棚の取り付け位置を前後方向に適宜選択できるため、棚に載置した物品の使用端側を、好適に揃えることができ且つ見栄えも良く、また、物品を安定して出し入れし易いため使い勝手も良い。すなわち、収納する物品が棚から落下することを有効に防止するとともに、物品の姿勢を変えて収納する場合にも好適に対応可能であり、ひいては収納空間全体としての有効活用が図れるといった、高機能な袖構造体を提供することができる。
【発明を実施するための最良の形態】
【００１９】
以下、本発明の一実施形態を、図面を参照して説明する。
【００２０】
本発明に係るデスクＤは、オフィス等で使用されるものであり、図１、図２及び図３等に示すように、天板３と、天板３の一方の袖部に設けられ天板３を支持する第１袖構造体１と、天板３の他方の袖部に設けられ天板３を支持する第２袖構造体２と、前記天板３下の下肢空間に渡される載置板Ｔと、第１袖構造体１と第２袖構造体２との間であって且つ天板３の直下に設けた抽斗Ｗと、天板３の反使用端３ａ（後端）側の下方において第１袖構造体１と第２袖構造体２との間を閉止して天板３下の下肢空間をデスクＤの背面側から隠蔽し得る幕板本体４とを具備するものである。
【００２１】
天板３は、平面視略矩形状をなす概略平板状のものであり、反使用端３ａ側における幅方向に沿った略中央部に配線挿通部Ｎを設けている。この配線挿通部Ｎは、天板３の肉厚方向に貫通してなる図示しないダクトと、このダクトに取付けられるダクトカバーＮ１とから構成している。ダクトカバーＮ１は、ダクトに嵌め込まれた状態において下肢空間に連通する開口部を内包する保持枠Ｎ１１と、保持枠Ｎ１１の開口部を開閉し得る長板状の一対のカバー本体Ｎ１２とを備えている。各カバー本体Ｎ１２は基端部が保持枠Ｎ１１に軸支され保持枠Ｎ１１に対して回動可能に設定されている。各カバー本体Ｎ１２の自由端側には、カバー本体Ｎ１２が閉じられた状態においてコード類Ｃの出し入れが可能な小口が形成されているとともに、この小口を開閉し得るスライド蓋Ｎ１２ａをカバー本体Ｎ１２に対してスライド可能に取付けている。なお、このスライド蓋Ｎ２１ａには操作用のノブが突設されている。このような構成を有する配線挿通部Ｎは、使用態様に応じて、カバー本体Ｎ１２又はスライド蓋Ｎ１２ａを適宜操作することにより、保持枠Ｎ１１の開口部又はカバー本体Ｎ１２の小口を開放することができるように設定されている。この配線挿通部Ｎは、平面視において、後述する幕板本体４より天板３の使用端３ｂ側に設けている（図２参照）。また、天板３の反使用端３ａ側における両側端近傍には、電話代やタスクライト等のオプション部材が取付可能なオプション取付部ＯＰがそれぞれ形成されている。
【００２２】
第１袖構造体１は、デスクＤを使用するユーザから見て左側の袖部に位置するものである。そして、この第１袖構造体１は、図３、図４及び図５等に図示するように、デスクＤに一体的に設けられている筐体１１と、筐体１１内に収容される複数段の抽斗１２、１３とを主要な構成要素とする。抽斗１２、１３を筐体１１内に押し入れると、各抽斗１２、１３の鏡板１２１、１３１のみが正面に現れ、抽斗１２、１３を筐体１１外に引き出せば、鏡板１２１、１３１の背後に形成された収納空間ＳＵ、ＳＤを露出させることができる。
【００２３】
筐体１１は、底板１１１と、底板１１１の両側縁部より立ち上がる一対の側板１１２、１１３と、底板１１１の後縁部より立ち上がり両側板１１２、１１３の各後縁部間を閉止する第１後板１１４とを備え、これら底板１１１、側板１１２、１１３、第１後板１１４によって前方を開口してなる収納空間Ｓ１が形成され、この収納空間Ｓ１に抽斗１２、１３を収容し得るようにしている。本実施形態においては、第１袖構造体１の後壁面を形成する筐体１１の第１後板１１４を、天板３の反使用端３ａより若干天板３の使用端３ｂ側に寄せた位置に設定している（図２参照）。なお、本実施形態では、天板３の反使用端３ａから第１後板１１４までの距離を略３ｍｍに設定している。上段の抽斗１２は、底板１２２と、底板１２２の両側縁部より立ち上がる一対の側板１２３、１２４と、底板１２２の後縁部より立ち上がり両側板１２３、１２４の各後縁部間を閉止する後板１２５と、底板１２５及び両側板１２３、１２４の前縁に接合された鏡板１２１とを備え、これら底板１２２、側板１２３、１２４、後板１２５及び鏡板１２１によって包囲される収納空間ＳＵを有している。そして、デスクＤにおける内側方の側板１２４の高さを、外側方の側板１２３よりも低く設定して、収納空間ＳＵを内側方から上方に亘って開口させるようにしている。下段の抽斗１３もまた、底板１３２と、底板１３２の両側縁部より立ち上がる一対の側板１３３、１３４と、底板１３２の後縁部より立ち上がり両側板１３３、１３４の各後縁部間を閉止する後板１３５と、底板１３２及び両側板１３３、１３４の前縁に接合された鏡板１３１とを備え、これら底板１３２、側板１３３、１３４、後板１３５及び鏡板１３１によって包囲される収納空間ＳＤを有している。下段の抽斗１３においても、内側方の側板１３４の高さを外側方の側板１３３よりも低く設定して、収納空間ＳＤを内側方から上方に亘って開口させてある。抽斗１２、１３は、レール機構１４、１５を介して筐体１１に対して前後にスライド移動可能に設定されている。なお、各レール機構１４、１５は、例えば既知のスライドレール機構、サスペンションレール機構等を採用したものであればよい。
【００２４】
これら抽斗１２、１３は、所定規格のファイルＦ、とりわけ、Ａ４サイズの紙葉を綴じ止めるべく規格化されたＡ４判のファイルＦを複数収納しておくのに適しているように構成されている。すなわち、上段の抽斗１２が有する収納空間ＳＵの幅方向の内寸（両側板１２３、１２４間の距離）を、所定規格のファイルＦの表紙幅Ｌ１に対応させて設定するとともに、この収納空間ＳＵを、所定規格のファイルＦをその表紙高さＬ２方向を上下に向けた状態で収納し得るものとしてある。これにより、図４に示すように、ファイルＦの背Ｆ１をデスクＤにおける内側方に向けた状態、つまりデスクＤを使用しているユーザの方に向けた状態で、複数のファイルＦを奥行方向に沿って立てて収納することが可能となっている。一方、下段の抽斗１３が有する収納空間ＳＤの奥行方向の内寸（鏡板１３１から後板１３５までの距離）を、所定規格のファイルＦの表紙高さＬ２寸法の複数倍に対応させている。さらに、この収納空間ＳＤを、所定規格のファイルＦをその表紙幅Ｌ１方向を上下に向けた状態で収納し得るものとしてある。よって、図５に示すように、ファイルＦの背Ｆ１を上方に向けた状態に向けた状態で、ファイルＦを奥行方向に沿って複数個（図示例では、２個）配列することが可能である。本実施形態では、抽斗１２、１３の収納空間ＳＵ、ＳＤが内側方に開口しており、デスクＤを使用しているユーザがファイルＦその他の物品を簡便に出し入れできるものとなっている。なお、各抽斗１２、１３には、収納空間ＳＵ、ＳＤをぞれぞれ所定の奥行き寸法に区切り得る一または複数の仕切板１６を装着することができる。仕切板１６の下縁及び一方の側縁に、外方に向けて突出する係合片１６１を形成し、これら係合片１６１を、抽斗１２、１３の底板１２２、１３２及び外側方の側板１２３、１３３に形成した係合溝１２６、１３６に挿入することで、抽斗１２、１３に仕切板１６を装着することができるように設定してある。
【００２５】
第２袖構造体２は、図３等に図示するように、デスクＤを使用するユーザから見て右側の袖部に位置するものであって、前方より物品を出し入れ可能な収納空間Ｓ２を有する筐体２１と、前記収納空間Ｓ２と外部とを連通し物品を出し入れ可能な開口を開閉する開き戸２２と、前記収納空間Ｓ２を所定の高さ寸法に仕切り得るべく前記筐体２１に対して着脱可能に取り付けられる棚たる棚板２３とを備えたものである。
【００２６】
各部を詳述すると、筐体２１は、スチール素材を塑性変形加工することにより各々形成した上板２１１、下板２１２、側板２１３、２１４及び第２後板２１５を備えるものであって、前方より物品を出し入れ可能な収納空間Ｓ２を内部に有すべく、これら各部を適宜方法で略箱体状を成すように組み立てて成る。なお、本実施形態では、収納空間Ｓ２は、筐体２１の奥行き方向の略中央よりも使用端側（前）と反使用端側（後）とで、棚板２３の取付態様などが異なる仕様態様（使用方法）で、収納空間を分けて使用される。これに伴い、使用端側を第１収納空間Ｓ２１と呼称し、反使用端側を第２収納空間Ｓ２２と呼称するようにしている。
【００２７】
側板２１３、側板２１４の内向面は、高さ方向に沿って間欠的に複数の取付部たるフック穴２１６を備えてなる。そして、このフック穴２１６に後述する棚板２３の被取付部２３３を係合させて、後述する棚板２３を着脱可能に取り付け得るようにしている。
【００２８】
以下、フック穴２１６について詳述するが、側板２１３と側板２１４とにそれぞれ設けたフック穴２１６は互いに対向する関係にあるので、側板２１４についてのみ説明を行うものとする。
【００２９】
まず、フック穴２１６の形状について説明すると、このフック穴２１６は、筐体２１の奥行き方向に長手寸法を有するスリット状のものである。そして、両端部を部分円弧状を成すように構成している。
【００３０】
次に、複数のフック穴２１６の役割について説明すると、複数のフック穴２１６は、棚板２３の取付位置を前後方向に選択可能な役割を発揮するグループ（以下、前後移動可能グループＧ１と称する。）と、前後方向に選択不能な役割を発揮するグループ（以下、前後移動不能グループＧ２と称する。）とに、役割によってグループ分けされるものである（図６参照。）。
【００３１】
フック穴２１６の配列について説明すると、前後移動可能グループＧ１を構成する複数のフック穴２１６は、側板２１４の中央より下側に形成されてなる。一方、前後移動不能グループＧ２を構成する複数のフック穴２１６は、側板２１３の中央より上側に形成されてなる。
【００３２】
そして、前後移動可能グループＧ１を構成する２０個のフック穴２１６は、側板２１４の高さ方向に５段に、且つ、４つ列を成すように配列されている。しかして、棚板２３を、使用端側から数えて第１列目と第３列目のフック穴２１６を利用して取り付ける態様、及び、第２列目と第４列目のフック穴２１６を利用して取り付ける態様のうち、いずれか一方の取付態様を選択することができる。なお、本実施形態では、第１列目および第２列目のフック穴２１６間の距離（ｄ１）が、Ａ４規格のファイルの表紙高さ方向の寸法と幅方向の寸法との差と略等しくなるように設定するとともに、第３列目および第４列目のフック穴２１６間の距離（ｄ２）も、Ａ４規格のファイルの表紙高さ方向の寸法と幅方向の寸法との差と略等しくなるように設定している。なお、棚板２３の取付位置を、側板２１４の高さ方向に変更し得ることは述べるまでも無い。
【００３３】
一方、前後移動不能グループＧ２を構成する１６個のフック穴２１６は、第１収納空間Ｓ２１と第２収納空間Ｓ２２とにそれぞれ露出するように設けられてなる。このうち、第１収納空間Ｓ２１に露出する６個のフック穴２１６は、側板２１４の高さ方向に３段に、且つ、２つ列を成すように配列されている。なお、これら６個のフック穴２１６のうち、使用端側から数えて第１列目及び第２列目のフック穴２１６と、前後移動可能グループＧ１を構成するフック穴２１６のうち、使用端側から数えて第１列目及び第３列目のフック穴２１６とを、それぞれの列が揃うように構成している。また、前後移動不能グループＧ２を構成し第２収納Ｓ２２空間に露出する１０個のフック穴２１６は、側板２１４の高さ方向に５段に、且つ、２つ列を成すように配列されている。なお、これら１０個のフック穴２１６を、前後移動可能グループＧ１を構成するフック穴２１６に対して、それぞれの段が揃うように構成している。
【００３４】
また、本実施形態では、図７に示すように、各袖構造体１、２の筐体１１、２１における内側方の側板１１３、２１３に、デスクＤの下肢空間に渡される載置板Ｔの両側端部をそれぞれ支持するための載置板支持手段Ｂが設けられている（同図においては第１袖構造体１の側板１１３のみが図示されているが、第２袖構造体２の側板２１３にも同様の構造が採用されている）。
【００３５】
開き戸２２は、ヒンジを介して筐体２１の前面に取り付けらるものである。なお、本実施形態では、前記収納空間Ｓ２を閉塞した際に、その閉塞状態を保ち得るように、筐体２１の前面に設けた係止手段ＭＧ（マグネット）によって係止されるようにしている。
【００３６】
棚板２３は、物品を載置可能な載置面２３１ａを表面に設けた薄板状の棚本体たる棚板本体２３１と、第２収納空間Ｓ２２側への落下を防止するための当接面２３２ａを表面に設けた落下防止部２３２と、棚板本体２３１の両側端部に設けた被取付部２３３とを具備し、これら各部をスチール素材を塑性変形加工により一体に形成してなるものである。なお、本実施形態では、落下防止部２３２を、棚板本体２３１の反使用端縁から略直角に起立させたものとしているが、起立する角度などは実施態様に応じて適宜変更可能である。
【００３７】
各部を詳述すると、棚板本体２３１は、平面視略矩形状を有するものである。そして、この棚板本体２３１の奥行き寸法が、Ａ４規格のファイルの表紙幅寸法ｆｘと略同一の奥行き寸法を有するように構成している。したがって、ファイルＦを、その表紙高さ方向を上下に向けた状態（図８（ｆ１））で載置しても、或いは、その表紙幅方向を上下に向けた状態（図９（ｆ２））で載置するようにしても、いずれもそのファイルＦを支持するに充分な寸法を有していると言える。
【００３８】
落下防止部２３２は、棚板本体２３１の反使用端側の略全域に亘って設けられるものである。換言すれば、幅寸法に、棚板本体２３１の幅寸法と略同一の寸法を有している。また、高さ寸法に、棚板本体２３１の厚み寸法より若干小さい寸法を有している。
【００３９】
被取付部２３３は、フック穴２１６の幅寸法よりも若干幅狭の幅寸法を有するものであって、前記フック穴２１６に挿入して引掛け可能な舌片状を有している。また、本実施形態では、この被取付部２３３を、棚板本体２３１の両側端部の使用端側と反使用端側とに１つずつ、合計４つ設けるようにしている。
【００４０】
載置板Ｔは、デスクＤの奥行寸法の半分程度の奥行き寸法を有するもので、デスクＤの後方寄りに配置され、第１袖構造体１の筐体１１の内側方の側板１１３から第２袖構造体２の筐体２１の内側方の側板２１３にまで延伸する（図２参照）。載置板支持手段Ｂは、各筐体１１、２１の側板１１３、２１３の外面に高さ方向に沿って間欠的に形成されたフック穴Ｂ１と、このフック穴Ｂ１に係合させることで各筐体１１、２１の側板１１３、２１３に取り付けられる載置板受け具Ｂ２とから構成されたものであり、載置板Ｔの両側端部は載置板受け具Ｂ２を介して第１袖構造体１の筐体１１及び第２袖構造体２の筐体２１に支持されることとなる。載置板Ｔの取付高さ位置は、載置板受け具Ｂ２を係合させるフック穴Ｂ１を変更することを通じて調整可能である。なお、本実施形態においては、各袖構造体１、２の筐体１１、２１の外方側の側板１１２、２１４にそれぞれ手指を掛けることができる凹部Ｈを形成してある（図１、図３参照）。これら凹部Ｈは、デスクＤを運搬する際に利用されるものである。
【００４１】
抽斗Ｗは、スチール素材を塑性変形加工することにより、上面を開口した扁平箱型形状をなすように形成したものである。そして、本実施形態では、その高さ方向の内寸を深めに設定することによりノート型のパーソナルコンピュータ等を収納可能に構成してある。
【００４２】
幕板本体４は、図２及び図７に図示するように、例えば一枚の薄板状のスチール素材を用いて成形した正面視略矩形状のものであり、側面視略Ｌ字状に折り曲げてなる上縁部４１及び下縁部４２と、天板３の使用端３ｂ側に折り曲げてなる側縁部４３、４４とを一体に有する。幕板本体４の幅寸法、言い換えるならば側縁部４３、４４間の距離を第１袖構造体１の筐体１１の内側方の側板１１３と第２袖構造体２の筐体２１の内側方の側板２１３との離間距離に対応させて設定している。また、幕板本体４の高さ寸法、言い換えるならば上縁部４１から下縁部４２までの距離を、第１袖構造体１及び第２袖構造体２の高さ寸法より小さく設定している。このような幕板本体４を、図３、図７に示すように、その上縁部４１と天板３の下面部３１との間に所定の高さ寸法を有する隙間Ｋが形成されるように第１袖構造体１と第２袖構造体２との間に取付ける。具体的には、幕板本体４と第２袖構造体２の筐体２１の第２後板２１５とが略面一となるように、幕板本体４を第１袖構造体１と第２袖構造体２との間に位置付け、幕板本体４の一方の側縁部４３を第１袖構造体１の筐体１１の側板１１３に接合するとともに、他方の側縁部４４を第２袖構造体２の筐体２１の側板２１３に接合することにより幕板本体４を第１袖構造体１と第２袖構造体との間に一体的に取り付ける。この取付状態において、幕板本体４と第２袖構造体２の第２後板２１５とが平面視略直線状に見かけ上連続し、これら幕板本体４及び第２後板２１５が、第１袖構造体１の側板１１２の後端部位を介して第１構造体１の第１後板１１４と平面視略クランク状に見かけ上連続している。なお、幕板本体４を、適宜の取付金具等を用いて第１袖構造体１と第２袖構造体２との間に取付けても構わない。
【００４３】
しかして、本実施形態においては、上述した第１袖構造体１の筐体１１の第１後板１１４と、幕板本体４と、第２袖構造体２の筐体２１の第２後板２１５とによって天板３の反使用端３ａ側の下方に位置する幕板部Ｍを構成している（図２参照）。幕板部Ｍは、平面視において、天板３の反使用端３ａより若干天板３の使用端３ｂ側に位置する第１後板１１４を用いて構成される第１幕板部Ｍ１と、第１後板１１４よりさらに天板３の使用端３ｂ側に位置する幕板本体４及び第２後板２１５を用いて構成される第２幕板部Ｍ２とを有し、これら第１幕板部Ｍ１の内側方の側縁と第２幕板部Ｍ２の内側方の側縁と間に位置する部位、すなわち、第１袖構造体１の筐体１１における内側方の側板１１３の後端部位を介して２箇所で屈曲させた平面視略クランク状をなしている。これら第１幕板部Ｍ１及び第２幕板部Ｍ２は、天板３の反使用端３ａに対してそれぞれ略平行であり、天板３の反使用端３ａから使用端３ｂに向かって、第１幕板部Ｍ１、第２幕板部Ｍ２の順で位置する。具体的には、第１幕板部Ｍ１と天板３の反使用端３ａとの離間距離を略３ｍｍに設定するとともに、第２幕板部Ｍ２と天板３の反使用端３ａとの離間距離を略１５ｍｍに設定している。
【００４４】
以上のように構成される袖構造体を袖部に配したデスクについて、その使用方法を以下に説明する。
【００４５】
（１）第１収納空間Ｓ２１にファイルＦをその表紙高さ方向を上下に向けた状態で載置した状態で収納する方法。
【００４６】
まず、棚板２３を、使用端側から数えて第１列目と第３列目のフック穴２１６を利用して取り付ける。
【００４７】
そして、棚板２３に、ファイルＦを、その開成端側を落下防止部２３２に当接させるように、且つ、その表紙高さ方向を上下に向けた状態で載置すると、棚板本体２３１の奥行き寸法２３ｘとファイルＦの幅寸法ｆｘとを略一致させているので、棚板２３の使用端側とファイルＦの背表紙とが略一致する状態になる（図８（ｆ１）参照。）。
【００４８】
（２）第１収納空間Ｓ２１にファイルＦを、その表紙幅方向を上下に向けた状態で載置した状態で収納する方法。
【００４９】
まず、棚板２３を、使用端側から数えて第２列目と第４列目のフック穴２１６を利用して取り付ける。
【００５０】
そして、棚板２３に、ファイルＦを、その天（又は地）を落下防止部２３２に当接させるように、且つ、その表紙幅方向を上下に向けた状態で載置すると、棚板本体２３１の取付位置は、（１）で説明した取付位置から、ファイルＦの表紙高さ方向の寸法と幅方向の寸法との差（ｆｙ−ｆｘ＝ｄ１（＝ｄ２））だけ反使用端側にオフセットされるので、換言すれば、棚板本体２３１の反使用端側から第１収納空間Ｓ２１の開口までの寸法Ｘ２が、ファイルＦの高さ寸法ｆｙと略一致するので、棚板２３の使用端側とファイルＦの地（又は天）とが略一致する状態になる（図９（ｆ２）、図６参照。）。
【００５１】
しかして、（１）第１収納空間Ｓ２１にファイルＦをその表紙高さ方向を上下に向けた状態で載置した状態で収納する方法、および、（２）第１収納空間Ｓ２１にファイルＦを、その表紙幅方向を上下に向けた状態で載置した状態で収納する方法のいずれの方法で、ファイルＦを棚板２３に載置して収納しても、ファイルＦの少なくとも一部が、筐体２１の開口に位置付けられるため、そのファイルＦを簡単に取り出すことができる。
【００５２】
このように、本実施形態に係るデスクＤは、棚板２３が落下防止部２３２を備えているので、棚板２３に載置したファイルＦが反使用端側に落下することを効果的に防止することができる。したがって、第２収納空間Ｓ２２に物品を収納している場合にも、棚板２３に載置した物品と第２収納空間Ｓ２２に収納している物品とが干渉することを効果的に防止することができ、ひいては、第２収納空間Ｓ２２全体の有効活用を図ることができる。また、ファイルＦを、その表紙高さ方向を上下に向けた状態で棚板２３に載置して収納する態様と、その表紙幅方向を上下に向けた状態で載置して収納する態様とのいずれの収納態様を選択しても、その収納態様に応じて、筐体２１に対する棚板２３の取り付け位置を前後方向に適宜選択できるため、棚板２３に載置したファイルＦの一部を、好適に揃えることができ且つ見栄えも良く、また、ファイルＦを安定して出し入れし易く使い勝手も良い。すなわち、収納するファイルＦが棚板２３から落下することを有効に防止するとともに、ファイルＦの姿勢を変えて収納する場合にも好適に対応可能であり、ひいては第２収納空間Ｓ２２全体の有効活用が図れるといった、高機能な袖構造体を備えるデスクＤを実現することができる。
【００５３】
また、棚板２３が、ファイルＦを載置する載置面２３１ａを表面に設けた棚板本体２３１と、この載置面２３１ａの反使用端側でファイルＦに当接するようにした当接面２３２ａを表面に備えた落下防止部２３２とを具備しているため、非常に簡単な構成でありながらも、効果的にファイルＦの落下を防止できる。
【００５４】
棚板本体２３１と落下防止部２３２とをスチール素材を塑性変形加工により一体に形成しているので、部材を削減してコストダウンを図れる。
【００５５】
落下防止部２３２を棚板本体２３１の反使用端縁から略直角に起立させるといった非常に簡単な構成で、ファイルＦの落下を防止できる。
【００５６】
前記フック穴２１６が、奥行き方向に長手寸法を有するスリット状のものであって、前記棚板２３に設けた前記フック穴２１６に着脱可能に取り付けられる被取付部２３３が、前記フック穴２１６に引掛け可能な舌片状のものであるため、簡単な構成でありながらも、棚板２３を筐体２１に対して取り付けたり取外したりすることをを簡単に行える。
【００５７】
筐体２１が、スチール製のものであり、フック穴２１６が、スチール素材の塑性変形加工により形成したものであるため、部材の取付強度を有効に確保しつつ、当該第２袖構造体２を簡単に形成できる。
【００５８】
前記棚板２３の奥行き寸法が、ファイルＦを載置した際に、そのファイルＦを支持するに充分な寸法を有するようにしているため、近時のオフィスでの一般的な業務態様に、好適に対応することができる。
【００５９】
そして、ファイルＦを、その表紙高さ方向を上下に向けた状態で収納する場合には、前記棚板２３を前記筐体２１の使用端側に取り付けて使用し、ファイルＦを、その表紙幅方向を上下に向けた状態で収納する場合には、前記棚板２３を前記筐体２１の反使用端側に取り付けて使用するようにしているため、好みに応じて収納態様を選べ使い勝手が良い。
【００６０】
前記複数のフック穴２１６が、筐体２１を構成する両側板２１３，２１４に４つ列をなすように配されるものであるとともに、使用端側から数えて第１列目と第３列目のフック穴２１６または第２列目と第４列目のフック穴２１６を利用して前記棚板２３を取り付け得るようにしたものであって、前記第１列目および前記第２列目のフック穴２１６間の距離が、ファイルＦの表紙高さ方向の寸法と幅方向の寸法との差と略等しくなるように構成しているため、ファイルＦの収納態様によらず、ファイルＦの一部を、筐体２１の開口にて揃えることができる。
【００６１】
なお、本発明は、以上に詳述した実施形態に限られるものではない。
【００６２】
例えば、Ａ４サイズの紙葉類を綴じるためのファイルＦだけでなく、Ａ３サイズの紙葉を綴じ止めるべく規格化されたＡ３サイズやＢ４サイズなどのファイルを収納するようにしてもよい。この場合には、棚板２３の奥行き寸法や、フック穴２１６の取付ピッチを実施態様に応じて適宜変更することで、様々な実施態様に容易に対応できる。
【００６３】
また、第１袖構造体１の内部構成を、第２袖構造体２の内部構成と同様にしてもよい。
【００６４】
さらに、袖構造体の具体的構成についても、本実施形態に限られるものではなく、デスクの仕様に対応させて種々の構造を適宜採用することを妨げない。
【００６５】
また、第１袖構造体１に替えて、単に天板を支持する支持脚を設けるといった実施態様も考えられる。
【００６６】
また、第１収納空間Ｓ２１に取り付ける棚板２３の枚数は、実施態様に応じて適宜変更可能である。
【００６７】
加えて、棚板２３の具体的構成も、本実施形態に限られるものではなく、例えば、棚板本体２３１を木製のものとしたり、落下防止部２３２を棚板２３の反使用端側の一部にのみ設けたりする等、適宜変更可能である。
【００６８】
また、第２収納空間Ｓ２２に取り付ける棚板２３は、その取付位置を変更不能に、すなわち、その取付位置を固定するようにしても良い。
【００６９】
また、第１収納空間Ｓ２１と第２収納空間Ｓ２２に取り付ける棚板２３は、それぞれ一つずつあればよい。
【００７０】
また、棚板２３を、筐体２１に対してスライド移動可能に構成するといった実施態様も考えられる。
【００７１】
また、棚板２３の被取付部２３３を、棚板本体２３１と一体に設けているが、別体のものとしても良い。
【００７２】
また、第２収納空間Ｓ２２を棚板２３によって上限に分割してファイルＦ等の物品を収納し、第１収納空間Ｓ２１において、棚板２３を適宜着脱するようにすれば、地図などの長尺の物品を、第１収納空間Ｓ２１に収納できるので、使用者の使い勝手を向上することができる。
【００７３】
その他、各部の具体的構成についても上記実施形態に限られるものではなく、本発明の趣旨を逸脱しない範囲で種々変形が可能である。
【図面の簡単な説明】
【００７４】
【図１】本発明の一実施形態に係るデスク示す全体斜視図。
【図２】同実施形態に係るデスクの平面図。
【図３】図２におけるＡ−Ａ線断面図。
【図４】図１におけるデスクを一方の抽斗を引き出した状態で示す図。
【図５】図１におけるデスクを他方の抽斗を引き出した状態で示す図。
【図６】同実施形態に係るフック穴の形成態様を示す図。
【図７】図２におけるＢ−Ｂ線断面図。
【図８】同実施形態に係るファイルの収納態様を示す図。
【図９】同実施形態に係るファイルの収納態様を示す図。
【符号の説明】
【００７５】
Ｆ・・・・・物品（ファイル）
Ｓ２１・・・第１収納空間
Ｓ２２・・・第２収納空間
２１・・・・筐体
２３・・・・棚（棚板）
２１６・・・取付部（フック穴）
２３１・・・棚本体（棚板本体）
２３１ａ・・載置面
２３２・・・落下防止部
２３２ａ・・当接面
２３ｘ・・・棚の奥行き寸法（棚板の奥行き寸法）
ｆ１・・・・所定規格のファイルを、その表紙高さ方向を上下に向けた状態
ｆ２・・・・所定規格のファイルを、その表紙幅方向を上下に向けた状態
ｄ１・・・・第１列目および前記第２列目の取付部（フック穴２１６）間の距離
【図１】
2005287834.tif 000003
【図２】
2005287834.tif 000004
【図３】
2005287834.tif 000005
【図４】
2005287834.tif 000006
【図５】
2005287834.tif 000007
【図６】
2005287834.tif 000008
【図７】
2005287834.tif 000009
【図８】
2005287834.tif 000010
【図９】
2005287834.tif 000011